(57)【要約】【課題】スクーバダイビングで用いるレギュレータの特に排気部分の構造に関し、ダイバーの呼気によって生ずる泡が水中のビデオ撮影の邪魔になったり、ダイバーの視界を妨げたりすることがなく、また排気のための構造がダイバーの下方視界を妨げたり作業の邪魔になったりするのを防止した排気構造を提供する。【解決手段】ダイバーの口元に位置する第２レギュレータ２の排気弁を通ったダイバーの呼気を導く排気パイプ４を、第１レギュレータ１と第２レギュレータ２とを繋いでいる給気パイプ３に沿うように設けて、その排気パイプ４の先端を給気パイプ３の途中のダイバーの側方より背後側の位置で開口させる。排気パイプ４は、係止具１０により給気パイプ３に引っ掛けて添設されるようにすればよい。ダイバーの背後に延びる排気パイプ４の先端から呼気が排出され、給気パイプ３と排気パイプ４とはあたかも１本のように配置される。【選択図】      図１
2006327266.tif 000002
【特許請求の範囲】
【請求項１】
第１及び第２レギュレータ(1,2)と、この第１レギュレータと第２レギュレータとを繋ぐ給気パイプ(3)と、第２レギュレータに基端を接続した排気パイプ(4)とを備え、前記排気パイプは前記給気パイプに添設されてダイバーの背後となる位置で開口していることを特徴とする、スクーバ用レギュレータの排気構造。
【請求項２】
第２レギュレータ(2)に取付けられる排気ティー(7)と、基端をこの排気ティーに接続された排気パイプ(4)と、この排気パイプを第１レギュレータと第２レギュレータを繋ぐ給気パイプ(3)に沿うように係止する係止具(10)とを備えた、スクーバ用レギュレータの排気ユニット。
【発明の詳細な説明】
【技術分野】
【０００１】
この発明は、スクーバダイビングで用いるレギュレータの特に排気部分の構造に関するものである。
【背景技術】
【０００２】
スクーバダイビングのダイバーは、背中に背負った空気ボンベから呼吸に必要な空気の供給を受けている。空気ボンベの内圧はおよそ２００ｋｇ／ｃｍ2であり、この高圧の空気を第１レギュレータ（ファーストステージレギュレータ）で中間圧に減圧し、この中間圧を第２レギュレータ（セカンドステージレギュレータ）で、水深とバランスする圧力に減圧してマウスピースに供給している。
【０００３】
古いタイプの２パイプ式と呼ばれるレギュレータは、第１減圧弁と第２減圧弁を内蔵した一体型のレギュレータが空気ボンベの接続口の所に設けられており、最終減圧された空気がダイバーの背後から口元の吸排気弁付きのマウスピースに太い給気バイブで供給されていた。そして、基端が当該マウスピースに接続されて先端が前記レギュレータの位置で開口する排気パイプを備えており、排気弁を通った空気が空気ボンベの上端の位置から水中に泡となって排出されるようになっていた。
【０００４】
この２パイプ式のものは、太い給気パイプと排気パイプがダイバーの口元にある吸排気弁付きのマウスピースの左右に接続されており、給気パイプと排気パイプとがダイバーの口元から首の両側を回り込むように配置されて、空気ボンベの上部へと繋がっていた。
【０００５】
これに対して現在多く用いられている１パイプ式と呼ばれるレギュレータは、第１レギュレータを空気ボンベの接続金具と一体に設け、第２レギュレータにマウスピースを設けて、ダイバーの背中に位置する第１レギュレータと口元に位置する第２レギュレータとを、ダイバーの背中から口元へと回り込むように配置される比較的細い給気パイプ（耐圧パイプ）で接続している。
【０００６】
１パイプ式のものは、給気パイプのみを備えており、第２レギュレータには、供給される空気を減圧する減圧弁の他に、ダイバーの呼気を水中に排出する排気弁が設けられている。排気弁を通ったダイバーの呼気は、第２レギュレータに取り付けられている排気ティーと呼ばれる部品の通路を通って水中に排出されるようになっている。
【０００７】
排気ティーは、第２レギュレータにねじその他の締結具で取り付けられている排気を案内するための部品で、水中に排出された気泡がダイバーの顔の前を通過しないように排気を顔の両側又は片側の第２レギュレータから少し離れた位置に導くための部品である。排気ティーには種々の形状のものがあり、水中写真を撮るような場合には、排気を顔の片側にのみ導いて排出される気泡が撮影の邪魔にならないようにした構造のものが用いられている。排気ティーは第２レギュレータにねじなどで取り付けられており、用途に合った構造ないし形状のものに交換可能である。
【特許文献１】特開平７‐２６７１８６号公報
【発明の開示】
【発明が解決しようとする課題】
【０００８】
１パイプ式のレギュレータは、ダイバーの口元にある第２レギュレータに比較的近い位置で水中に空気が排出されるので、水中でビデオ撮影などを行うとき、水の流れやカメラワークによって気泡がカメラに写し込まれることがある。これを避けるためには、水の流れやカメラワークに注意を払う必要があり、場合によっては呼吸を止めて撮影を行わなければならないという問題がある。
【０００９】
一方、２パイプ式のものは、ダイバーの口元にあるマウスピースから両側に太いパイプが延びているので、ダイバーの下方視界の妨げとなり、また水中でカメラを構えたりケーブルや網を扱うような水中作業の際に邪魔になったりするという問題があった。
【００１０】
この発明は、ダイバーの呼気によって生ずる泡が水中のビデオ撮影の邪魔になったり、ダイバーの視界を妨げたりすることがなく、また排気のための構造がダイバーの下方視界を妨げたり作業の邪魔になったりするのを防止した排気構造を提供すること、及び、現在多く用いられている従来構造の１パイプ式のレギュレータに容易に取り付けて上記構造を実現することが可能な排気ユニットを得ることを課題としている。
【課題を解決するための手段】
【００１１】
この発明では、ダイバーの口元に位置する第２レギュレータ２の排気弁を通ったダイバーの呼気を導く排気パイプ４を、第１レギュレータ１と第２レギュレータ２とを繋いでいる給気パイプ３に沿うように設けて、その排気パイプ４の先端を給気パイプ３の途中のダイバーの側方より背後側の位置で開口させることにより、上記課題を解決したものである。排気パイプ４は、係止具１０により給気パイプ３に引っ掛けて添設されるようにすればよいが、給気パイプと一体の例えば二重管とすれば、外観をよりスマートにできる。
【００１２】
この発明によれば、第２レギュレータ２からダイバーの背後に延びる排気パイプ４の先端から呼気が泡となって排出されるので、従来の２パイプ式のレギュレータと同様に、ダイバーの呼気によって生ずる泡がダイバーの視界の邪魔になったりビデオ撮影時に泡がカメラに写し込まれるということがない。そして、ダイバーの口元の第２レギュレータ２に接続される給気パイプ３と排気パイプ４とが添設された状態で、あたかも１本のように配置されるので、従来の１パイプ式のレギュレータと同様な下方視界が確保できると共に、パイプが水中作業の邪魔になることが少なくなる。すなわち、この発明の排気構造によれば、従来の２パイプ式と１パイプ式のレギュレータの長所を合せ備えるレギュレータが得られる。
【００１３】
既存の１パイプ式のレギュレータは排気ティー７が第２レギュレータ本体８に着脱かつ交換可能に取り付けられているので、給気パイプ３に沿って係止する係止具１０を備えた排気パイプ４の基端に排気ティー７を接続した排気ユニットを提供することにより、既存の１パイプ式のレギュレータを、この発明の排気構造を備えたレギュレータに改良することが容易にできる。
【００１４】
本願の請求項１の発明に係るスクーバ用レギュレータの排気構造は、ダイバーの背後に位置する第１レギュレータ１と、ダイバーの口元に位置する第２レギュレータ２と、この第１レギュレータと第２レギュレータとを繋ぐ給気パイプ３と、第２レギュレータに基端を接続した排気パイプ４とを備え、前記排気パイプは前記給気パイプに添設されてダイバーの背後となる位置で開口していることを特徴とするものである。
【００１５】
また本願の請求項２の発明に係るスクーバ用レギュレータの排気ユニットは、ダイバーの口元に位置する第２レギュレータ２に取付けられる排気ティー７と、基端をこの排気ティーに接続された排気パイプ４と、この排気パイプをダイバーの背後に位置する第１レギュレータ１と前記第２レギュレータを繋ぐ給気パイプ３に沿うように係止する係止具１０とを備えている。
【発明の効果】
【００１６】
この発明によれば、ダイバーの呼気により生ずる泡がダイバーの視界に入ったり、ビデオ撮影時にカメラに写し込まれたりすることがあるという従来の１パイプ式のレギュレータの欠点が解消されると共に、ダイバーの口元にある第２レギュレータ２に接続される給気パイプ３と排気パイプ４とがあたかも１本のパイプのように配置されるので、従来の１パイプ式のレギュレータと同様な下方視界と作業性を確保することができるという長所がある。
【００１７】
また、構造が簡単で安価に提供することができると共に、従来構造の排気ティーに替えて第２レギュレータ本体８に取り付けることができる上記排気ユニットを提供することにより、既存の１パイプ式のレギュレータをこの発明のレギュレータに容易に改造できるという効果がある。
【発明を実施するための最良の形態】
【００１８】
以下、図面を参照して、この発明のレギュレータの排気構造及び排気ユニットを説明する。図１はレギュレータ全体を示した図で、１は第１レギュレータ、２は第２レギュレータ、３は第１レギュレータ１と第２レギュレータ２を繋いでいる給気パイプ、４は排気パイプである。なお、第１レギュレータ１には、オクトパスレギュレータやバランシングジャケットに接続するパイプが設けられるが、図ではこれらは省略されている。
【００１９】
第１レギュレータ１は、空気ボンベの接続口に取り付けられる接続金具５と一体で、空気ボンベの空気圧を所定の中間圧に減圧して給気パイプ３に流すための減圧弁を内蔵している。第２レギュレータ２は、マウスピース６を一体に備えており、給気パイプ３の中間圧を水圧とバランスする圧力に減圧してマウスピース６に供給する第２減圧弁と、マウスピース６からのダイバーの呼気による圧力上昇によって開いて、当該呼気を排気ティー７側に排出する排気弁とを内蔵している。
【００２０】
排気ティー７は、第２レギュレータ本体２の排気口を覆うように取り付けられる合成樹脂製の部品で、その内部は第２レギュレータ２からの排気を導く通路となっている。排気パイプ４の基端は、この排気ティー７の空気の出口に接続されている。図の排気ティー７は、ねじ９により第２レギュレータ本体８に取り付けられている。
【００２１】
排気パイプ４には、その外周に給気パイプ３に引っ掛けるフック１０が複数個設けられており、かつこのフックで係止した給気パイプ３を覆うようなカバー１１が排気パイプ４の長手方向に沿って形成されている。排気パイプ４は、給気パイプ３より長さが短く、従ってフック１０によって給気パイプ３に添設された排気パイプ４の先端は、給気パイプ３の途中の、装着したときにダイバーの首の側方より若干背中寄りの箇所で開口している。
【００２２】
上記構造のレギュレータにおいて、第１レギュレータ１を空気ボンベの上端にある接続口に接続し、マウスピース６をダイバーが咥えた状態で第２レギュレータ２をダイバーの口元に装着する。給気パイプ３及びこれに添設された排気パイプ４は、一般的にはダイバーの首の右側を通ってダイバーの背後から口元へ回り込むように配置される。
【００２３】
上記構造のレギュレータを装着したダイバーの呼気は、排気ティー７から排気パイプ４を通ってダイバーの首の横より後方に位置する排気パイプの先端開口１２から水中に気泡となって排出される。通常、ダイバーは、水中で水平方向を向いた姿勢かうつむいた姿勢で作業を行うのが一般であるから、この一般的な姿勢では、排気パイプ４から排出される気泡がダイバーの視界に入ったりダイバーが構えているカメラの視界に入ったりすることは極めて稀である。また、給気パイプ３と排気パイプ４とが纏められてダイバーの一方の側のみに位置するので、カメラを構えたり作業をするときの動きがパイプによって邪魔されることが少なく、またパイプが口元の第２レギュレータから一方の側のみに延びているので、パイプによってダイバーの下方視界が妨げられる範囲が小さい。
【００２４】
図１に示した構造は、フック１０によって給気パイプ３に添設した状態で係止される排気パイプ４と、ねじ９によって第２レギュレータ本体８に取り付けられる排気ティー７を除いた構造は、従来の１パイプ式のレギュレータと同じ構造なので、上記構造の排気パイプ４と排気ティー７とを提供すれば、既存の１パイプ式レギュレータの排気ティーに替えて、上記構造の排気ティー７と排気パイプ４とを取り付けることにより、図１に示すこの発明のレギュレータを得ることができる。
【図面の簡単な説明】
【００２５】
【図１】本発明のレギュレータ全体の概略斜視図
【符号の説明】
【００２６】
１  第１レギュレータ
２  第２レギュレータ
３  給気パイプ
４  排気パイプ
７  排気ティー
10  フック
【図１】
2006327266.tif 000003